(57)【特許請求の範囲】
【請求項１】
被験者の疾病の有無又は程度を判定した判定結果である疾病判定情報と、前記被験者の検査端末における位置情報とに基づいて、前記疾病における地域別の疾病統計情報を生成する手段を含む統計情報生成部と、
前記疾病統計情報を出力する出力部と
を備え、
前記統計情報生成部は、地域別の前記疾病統計情報に基づいて地域住民の外出動向を示す外出動向情報を生成する手段を含むことを特徴とする統計情報提供サーバ。
【請求項２】
請求項１に記載の統計情報提供サーバにおいて、
前記統計情報生成部は、疾病別、地域別、属性別の前記外出動向情報を生成可能であることを特徴とする統計情報提供サーバ。
【請求項３】
請求項１又は請求項２に記載の統計情報提供サーバにおいて、
前記出力部は、夫々の識別情報と指定出力先とが登録された会員の前記指定出力先に、各会員に応じた前記外出動向情報を出力することを特徴とする統計情報提供サーバ。
【請求項４】
請求項１又は請求項２に記載の統計情報提供サーバにおいて、
前記出力部は、夫々の識別情報と指定出力先とが登録された会員の前記指定出力先に、各会員に応じた前記疾病統計情報を出力することを特徴とする統計情報提供サーバ。
【請求項５】
請求項３又は請求項４に記載の統計情報提供サーバにおいて、
前記出力部は、前記会員に対して前記統計情報生成部によって生成された情報を出力した後、前記会員に対する課金情報を記憶部に記憶させることを特徴とする統計情報提供サーバ。
【請求項６】
請求項１から請求項５の何れか１項に記載の統計情報提供サーバにおいて、
前記出力部は、前記統計情報生成部によって生成された情報と広告情報とを出力することを特徴とする統計情報提供サーバ。
【請求項７】
請求項１から請求項６の何れか１項に記載の統計情報提供サーバにおいて、
前記統計情報生成部は、前記疾病統計情報又は前記外出動向情報を所定の時間帯ごとに生成する手段を含むことを特徴とする統計情報提供サーバ。
【請求項８】
被験者の疾病を検査するための検査端末と、疾病統計情報を生成するサーバとを含む統計情報提供システムであって、
前記検査端末は、
前記被験者の端末であり、
前記疾病を検査するための検査情報を取得する検査情報取得部と、
前記検査情報を前記サーバに送信する送信部と
を備え、
前記サーバは、
前記検査情報と前記被験者の位置情報とを受信する受信部と、
前記検査情報と記憶部に記憶されている検査判定情報とを比較して前記疾病の有無又は程度を判定する手段を含む疾病判定部と、
前記疾病判定部の判定結果である疾病判定情報と前記位置情報とに基づいて、前記疾病における地域別の前記疾病統計情報を作成する手段を含む疾病統計情報作成部と、
前記疾病統計情報を出力する出力部と
を備え、
前記疾病統計情報作成部は、地域別の前記疾病統計情報に基づいて地域住民の外出動向を示す外出動向情報を生成する手段を含むことを特徴とする統計情報提供システム。
【請求項９】
被験者の疾病を検査するための検査端末と、疾病統計情報を生成するサーバとを含む統計情報提供システムであって、
前記検査端末は、
前記被験者の端末であり、
前記疾病を検査するための検査情報を取得する検査情報取得部と、
前記検査情報と記憶部に記憶されている検査判定情報とを比較して前記疾病の有無又は程度を判定する手段を含む疾病判定部と、
前記疾病判定部の判定結果である疾病判定情報を前記サーバに送信する送信部と
を備え、
前記サーバは、
前記疾病判定情報と前記被験者の位置情報とを受信する受信部と、
前記疾病判定情報と前記位置情報とに基づいて、前記疾病における地域別の前記疾病統計情報を作成する手段含む疾病統計情報作成部と、
前記疾病統計情報を出力する出力部と
を備え、
前記疾病統計情報作成部は、地域別の前記疾病統計情報に基づいて地域住民の外出動向を示す外出動向情報を生成する手段を含むことを特徴とする統計情報提供システム。
【請求項１０】
請求項８又は請求項９に記載の統計情報提供システムにおいて、
前記サーバの出力部は、前記検査情報と前記被験者の属性を示す属性情報とを医療機関の電子カルテシステムに出力することを特徴とする統計情報提供システム。
【請求項１１】
請求項３又は請求項４に記載の統計情報提供サーバから前記疾病統計情報又は前記外出動向情報の何れか一方又は両方を受信する受信部と、
前記受信部によって受信された前記疾病統計情報又は前記外出動向情報を表示する表示
部と
を備えることを特徴とする会員端末。
【請求項１２】
請求項１から請求項７の何れか１項に記載の統計情報提供サーバから前記疾病統計情報又は前記外出動向情報の何れか一方又は両方を受信する受信部と、
前記受信部によって受信された前記疾病統計情報又は前記外出動向情報を表示する表示部と
を備えることを特徴とする移動端末。
【請求項１３】
統計情報提供サーバのコンピュータに、
被験者の疾病の有無又は程度を判定した判定結果である疾病判定情報と、前記被験者の検査端末における位置情報とに基づいて、前記疾病における地域別の疾病統計情報を生成する統計情報生成ステップと、
前記疾病統計情報を出力する出力ステップと
を備え、
前記統計情報生成ステップは、地域別の前記疾病統計情報に基づいて地域住民の外出動向を示す外出動向情報を生成することを特徴とするプログラム。
【発明の詳細な説明】
【技術分野】
【０００１】
本発明は、統計情報提供システム、統計情報提供サーバ、移動端末、会員端末及びプログラムに関するものである。
【背景技術】
【０００２】
従来、病院などの医療機関における検査、及び病院などの専門機関の外で実施する遠隔検査システムおよび検査方法が知られている（例えば、特許文献１参照）。
【先行技術文献】
【特許文献】
【０００３】
【特許文献１】特開２００９−２５８８８６号公報
【発明の概要】
【発明が解決しようとする課題】
【０００４】
しかしながら、従来では、簡便に病気であるか否かを検査できるものの、検査結果に基づく有益な情報を第三者に提供することができないという問題がある。
本発明は、上記問題に鑑みてなされたものであり、病気の検査結果に基づく有益な情報を第三者に提供するための技術を提供する。
【課題を解決するための手段】
【０００５】
上記問題を解決するために、本発明の一態様である統計情報提供システムは、被験者の疾病を検査するための検査端末と、疾病統計情報を生成するサーバとを含む統計情報提供システムであって、前記検査端末は、前記疾病を検査するための検査情報を取得する検査情報取得部と、前記検査情報を前記サーバに送信する送信部とを備え、前記サーバは、前記検査情報と前記被験者の位置情報とを受信する受信部と、前記検査情報と記憶部に記憶されている検査判定情報とを比較して前記疾病の有無又は程度を判定する手段を含む疾病判定部と、前記疾病判定部の判定結果である疾病判定情報と前記位置情報とに基づいて、前記疾病における地域別の前記疾病統計情報を作成する手段を含む疾病統計情報作成部と、前記疾病統計情報を出力する出力部とを備えることを特徴とする。
【０００６】
上記問題を解決するために、本発明の他の態様である統計情報提供システムは、被験者の疾病を検査するための検査端末と、疾病統計情報を生成するサーバとを含む統計情報提供システムであって、前記検査端末は、前記疾病を検査するための検査情報を取得する検査情報取得部と、前記検査情報と記憶部に記憶されている検査判定情報とを比較して前記疾病の有無又は程度を判定する手段を含む疾病判定部と、前記疾病判定部の判定結果である疾病判定情報を前記サーバに送信する送信部とを備え、前記サーバは、前記疾病判定情報と前記被験者の位置情報とを受信する受信部と、前記疾病判定情報と前記位置情報とに基づいて、前記疾病における地域別の前記疾病統計情報を作成する手段含む疾病統計情報作成部と、前記疾病統計情報を出力する出力部とを備えることを特徴とする。
【０００７】
上記問題を解決するために、本発明の他の態様である統計情報提供サーバは、被験者の疾病の有無又は程度を判定した判定結果である疾病判定情報と、前記疾病判定情報を得るため用いられる検査情報と、前記被験者の位置情報とに基づいて、前記疾病における地域別の疾病統計情報を生成する手段を含む統計情報生成部と、前記疾病統計情報を出力する出力部とを備えることを特徴とする。
【０００８】
上記問題を解決するために、本発明の他の態様である移動端末は、上記統計情報提供サーバから前記疾病判定情報又は前記疾病統計情報の何れか一方又は両方を受信する受信部と、前記受信部によって受信された前記疾病判定情報又は前記疾病統計情報を表示する表示部とを備えることを特徴とする。
【０００９】
上記問題を解決するために、本発明の他の態様である端末は、上記統計情報提供サーバから前記疾病統計情報又は前記外出動向情報の何れか一方又は両方を受信する受信部と、前記受信部によって受信された前記疾病統計情報又は前記外出動向情報を表示する表示部とを備えることを特徴とする。
【００１０】
上記問題を解決するために、本発明の他の態様である検査端末は、被験者の疾病の有無又は程度の判定に用いられる検査情報を取得する検査情報取得部と、前記検査情報と記憶部に記憶されている検査判定情報とを比較して前記疾病の有無又は程度を判定する手段と、前記疾病における地域別の疾病統計情報を生成する手段とを含むサーバに、前記検査情報を送信する送信部と、前記サーバによる前記疾病の有無又は程度の判定結果である疾病判定情報、又は、前記疾病統計情報の何れか一方又は両方を受信する受信部と、前記疾病判定情報又は前記疾病統計情報を表示する表示部とを備えることを特徴とする。
【００１１】
上記問題を解決するために、本発明の他の態様である検査端末は、被験者の疾病の有無又は程度の判定に用いられる検査情報を取得する検査情報取得部と、前記検査情報と記憶部に記憶されている検査判定情報とを比較して前記疾病の有無又は程度を判定する手段を含む疾病判定部と、前記疾病判定部の判定結果である疾病判定情報と前記被験者の位置情報とに基づいて前記疾病における地域別の疾病統計情報を生成する手段を含むサーバに、前記疾病判定情報を送信する送信部と、前記疾病統計情報を受信する受信部と、前記疾病判定情報又は前記疾病統計情報を表示する表示部とを備えることを特徴とする。
【００１２】
上記問題を解決するために、本発明の他の態様であるプログラムは、統計情報提供サーバのコンピュータに、検査端末から被験者の疾病の有無又は程度を判定した判定結果である疾病判定情報を受信する受信ステップと、前記疾病判定情報と前記被験者の位置情報とに基づいて、地域別の疾病統計情報を作成する疾病統計情報作成ステップと、前記疾病統計情報を出力する出力ステップとを実行させることを特徴とする。
【００１３】
上記問題を解決するために、本発明の他の態様であるプログラムは、統計情報提供サーバのコンピュータに、検査端末から被験者の疾病を検査するための検査情報を受信する受信ステップと、前記検査情報と記憶部に記憶されている検査判定情報とを比較して前記疾病の有無又は程度を判定する疾病判定ステップと、前記疾病判定ステップにおける判定結果である疾病判定情報と前記被験者の位置情報とに基づいて、地域別の疾病統計情報を作成する疾病統計情報作成ステップと、前記疾病統計情報を出力する出力ステップとを実行させることを特徴とする。
【発明の効果】
【００１４】
本発明によれば、病気の検査結果に基づく有益な情報を生成し、第三者に提供することができるようになる。
【図面の簡単な説明】
【００１５】
【図１】本発明の第１の実施形態による統計情報提供システムを含む全システムの概念図である。
【図２】第１の実施形態による統計情報提供システムを説明するための説明図である。
【図３】第１の実施形態による統計情報提供システムを説明するための説明図である。
【図４】第１の実施形態による統計情報提供システムを説明するための説明図である。
【図５】第１の実施形態による統計情報提供システムを説明するための説明図である。
【図６】第１の実施形態による統計情報提供システムを説明するための説明図である。
【図７】本実施形態における統計情報提供システムの処理の流れの一例を示すフローチャートである。
【図８】本発明の第２の実施形態による統計情報提供システムを含む全システムの概念図である。
【図９】第２の実施形態による統計情報提供システムを説明するための説明図である。
【図１０】本実施形態における統計情報提供システムの処理の流れの他の一例を示すフローチャートである。
【発明を実施するための形態】
【００１６】
（第１の実施形態）
以下、図面を参照しながら本発明の第１の実施形態について説明する。図１は、本発明の第１の実施形態による統計情報提供システムを含むシステムの概念図である。図３乃至図６は、第１の実施形態による統計情報提供システムを説明するための説明図である。本発明の第１の実施形態による統計情報提供システム１は、図１に示すように、相互に通信する統計情報提供サーバ１０と検査端末２０とから構成される。検査端末２０は、疾病（例えば、感染症の疾病、アレルギー性の疾病、等）の検査に用いる検査情報を取得するための端末である。統計情報提供サーバ１０は、検査端末２０からの送信される情報等に基づいて、疾病統計情報（詳細は後述）、外出動向情報（詳細は後述）を作成（生成）するためのサーバである。また、図１に示す、端末位置情報ＤＢ５００、地図情報ＤＢ５１０、電子カルテＤＢ５２０、検査判定情報ＤＢ５４０は、いずれも統計情報提供サーバ１０の外部の記憶部（例、データベース）である。
【００１７】
図１に示す端末位置情報ＤＢ５００は、統計情報提供システム１の外部のＤＢ（データベース）であって、統計情報提供サーバ１０からアクセスされる（読み出し）。端末位置情報ＤＢ５００は、例えば、図２（ａ）に示すような情報を記憶する。図２（ａ）において端末ＩＤは、検査端末２０、移動端末３０を識別する情報である。図２（ａ）において位置情報は、検査端末２０、移動端末３０の現在の位置情報である。なお、端末位置情報ＤＢ５００が、現在の位置情報を記憶する方法は種々の方法があるが、例えば、固定位置に設置しない検査端末２０（移動端末３０も同様）については、携帯電話機等の移動局の位置登録（ＨＬＲ（home location register）による位置登録）と同様、適宜、位置情報を更新する。また、ＧＰＳ又はアクセスポイントとの通信によって、検査端末２０自身が取得した位置情報を、適宜、取得し、更新するようにしてもよい。なお、固定位置に設置される検査端末２０については、例えば、設置時に位置情報を登録すればよい。
【００１８】
図１に示す地図情報ＤＢ５１０は、統計情報提供システム１の外部のＤＢ（データベース）であって、統計情報提供サーバ１０からアクセスされる（読み出し）。地図情報ＤＢ５１０は、位置情報（住所情報）とリンクされた地図情報（ビットマップ）を記憶する。即ち、位置情報（北緯／東経、又は、番地）とビットマップ上の座標とが対応付けられている地図情報を記憶する。また、地図情報ＤＢ５１０は、市町村コード、市町村名、各市町村の位置情報（住所情報）、郵便番号、各郵便番号の位置情報（住所情報）を記憶する。また、地図情報ＤＢ５１０は、予め定めた商圏（例えば、駅などを中心とした所定範囲）を示す商圏コードなどを記憶してもよい。
【００１９】
図１に示す電子カルテＤＢ５２０は、統計情報提供システム１の外部（医療機関）のＤＢ（データベース）であって、統計情報提供サーバ１０からアクセスされる（書き込み、読み込み）。電子カルテＤＢ５２０は、例えば、図２（ｂ）に示すような情報を記憶する。電子カルテＤＢ５２０は、例えば、個人特定情報、住所や属性情報１などを被験者の属性情報として記憶する。なお、図２（ｂ）に示す検査日時は、検査端末２０によって検査情報が取得された日時であるが、例えば、統計情報提供サーバ１０によって当該レコードが書き込まれた日時としてもよい。図１に示す電子カルテシステム５３０は、統計情報提供システム１の外部（医療機関）のシステムであって、電子カルテＤＢ５２０にアクセスする。
【００２０】
検査判定情報ＤＢ５４０は、被験者における疾病の有無又は程度を判定するために必要となる情報などを記憶する。即ち、検査判定情報ＤＢ５４０には、被験者の検査情報に対して疾病の有無又は程度を判定するためのしきい値又は参照値（又は基準値）などの検査判定情報が予め記憶されている。例えば、検査判定情報ＤＢ５４０は、所定の疾病の有無及び程度を判定できるしきい値を該疾病ごとに記憶している。また、例えば、検査判定情報ＤＢ５４０は、所定の疾病の有無及び程度を判定できる５段階の基準値（例、基準値：１〜５）を該疾病ごとに記憶している。一例として、検査判定情報ＤＢには、基準値が１、２の場合は疾病が無、基準値が３以上の場合は疾病が有、基準値が５の場合は疾病の程度が重症、のようなデータが予め記憶されている。
【００２１】
図１に示す移動端末３０及び会員端末４０は何れも、統計情報提供システム１の外部の端末である。移動端末３０は、送受信部３１０及び出力部３２０を備える。移動端末３０は、送受信部３１０によって情報を受信し、受信情報を出力部３２０に出力する。移動端末３０の一例は、携帯電話であるが、必ずしも通話機能を有する必要は無く、上述の如く、受信情報を出力する機器（例えば、カード形状の機器）であってもよい。
【００２２】
会員端末４０は、送受信部４１０及び出力部４２０を備える。会員端末４０は、送受信部４１０によって情報を受信し、受信情報を出力部４２０に出力する。会員端末４０の一例は、パーソナルコンピュータであるが、移動端末３０と同様、通話機能を有する装置（例えば、携帯電話）であってもよいし、単に、受信情報を出力する機器（例えば、カード形状の機器）であってもよい。
【００２３】
検査端末２０は、検査デバイス８０を装着する装着部（非図示）、入力受付部２１０、検査情報取得部２２０、送受信部２４０及び出力部２５０を備える。例えば、検査端末２０は、検査デバイス８０を用いて、遺伝子検査、微生物学的検査、免疫学的検査、生化学的検査、などの検査が可能である。
【００２４】
検査情報取得部２２０は、検査デバイス８０から、疾病の有無又は程度を判定するために用いられる検査情報を取得する。検査情報取得部２２０は、検査情報を取得した場合、当該検査情報を送受信部２４０に供給する。
【００２５】
入力受付部２１０は、当該検査端末２０の操作者（例えば、被験者）からの入力を受け付ける入力インターフェースを有する。入力受付部２１０は、操作者からの入力があった場合、入力情報を送受信部２４０に供給する。入力情報の一例は、被験者を特定する個人特定情報（例えば、個人ＩＤ）、被験者の属性情報（例えば、性別、生年月日、血液型、病歴（本人、家族）、医薬品の服用歴、家族構成等）である。入力受付部２１０は、操作者が直接入力した個人特定情報を受け付けてもよいし、操作者が入力した短縮コードに対応付けて登録されている個人特定情報を受け付けてもよい。また、入力受付部２１０は、操作者が直接入力した属性情報を受け付けてもよいし、先に受け付けた個人特定情報に対応付けて登録されている属性情報を受け付けてもよい。また、個人特定情報は、検査情報取得部２２０の検査によって得られる被験者のＤＮＡに関する情報であってもよい。なお、検査情報取得部２２０は、被験者を特定する個人特定情報（例えば、ＤＮＡに関する情報）を含む検査情報を取得してもよい。また、検査情報取得部２２０が被験者を特定する個人特定情報を含む検査情報を取得した場合、操作者は、個人特定情報を入力しなくてもよい。
【００２６】
送受信部２４０は、統計情報提供サーバ１０に種々の情報を送信する。一例として、送受信部２４０は、検査情報取得部２２０から検査情報を取得した場合、当該検査情報を統計情報提供サーバ１０に送信する。また、送受信部２４０は、入力受付部２１０から入力情報を取得した場合、当該入力情報を統計情報提供サーバ１０に送信する。つまり、検査端末２０から統計情報提供サーバ１０への送信情報は、入力情報などに応じて異なる。
【００２７】
例えば、送受信部２４０は、図３（ａ）に示すような、検査端末２０を識別する端末ＩＤ（例、郵便番号＋所定の数桁の英数字）、個人特定情報、及び、検査情報を含む送信情報を統計情報提供サーバ１０に送信する。また例えば、送受信部２４０は、図３（ｂ）に示すような、被験者の属性情報等を含む送信情報を統計情報提供サーバ１０に送信してもよい。また例えば、送受信部２４０は、検査端末２０の使用者（被験者）が一人に特定される場合には、統計情報提供サーバ１０において検査端末２０の端末ＩＤから個人を特定することができるため、図３（ｃ）に示すような、個人特定情報を含まない送信情報を統計情報提供サーバ１０に送信してもよい。また例えば、送受信部２４０は、図３（ｄ）に示すような、検査端末２０の位置情報を含む送信情報を統計情報提供サーバ１０に送信してもよい。
【００２８】
なお、図３（ｄ）における位置情報は、ＧＰＳを利用して取得されたものであってもよいし（なお、当該場合、検査端末２０はＧＰＳ機能を有する）、基地局若しくは無線ＬＡＮなどのアクセスポイントと通信することによって取得されたものであってもよい。
【００２９】
また、送受信部２４０は、統計情報提供サーバ１０等から種々の情報（詳細は後述）を受信する。送受信部２４０は、統計情報提供サーバ１０等から情報を受信した場合、受信情報を出力部２５０に供給する。
【００３０】
出力部２５０は、操作者に種々の情報を出力する。例えば、出力部２５０は、入力受付部２１０が入力情報を取得するための入力画面、送受信部２４０を介して取得した受信情報等を出力するための出力画面を表示する。
【００３１】
統計情報提供サーバ１０は、個人情報ＤＢ１００、会員情報ＤＢ１１０、広告情報ＤＢ１２０、受信部１３０、疾病判定部１４０、疾病判定情報記憶部１５０、疾病統計情報作成部１６０、疾病統計情報記憶部１７０、及び、出力部１８０を備える。なお、受信部１３０、疾病判定部１４０及び疾病統計情報作成部１６０は纏めて疾病統計情報生成部１６５とも称される。また、後述するように疾病統計情報作成部１６０によって作成される疾病統計情報においては個人特定情報が秘匿化されるため疾病統計情報作成部１６０は秘匿化情報作成部とも称され、疾病統計情報記憶部１７０は秘匿化情報作成部とも称される。
【００３２】
個人情報ＤＢ１００は、例えば、図４（ａ）に示すような個人に関する個人情報を記憶する。図４（ａ）に示す例では、個人情報ＤＢ１００は、個人特定情報、住所、氏名、連絡先、緊急連絡先、属性情報１〜属性情報ｎ（例えば、生年月日、性別、血液型、病歴（本人及び家族）、医薬品の服用歴、家族構成等）、認証用情報（例えば、パスワード、生体認証情報）、検査に利用する検査端末２０の端末ＩＤ、所持する移動端末３０の端末ＩＤなどを記憶する。個人情報ＤＢ１００は、例えば、個人特定情報、住所や属性情報１などを被験者の属性情報として記憶する。
【００３３】
会員情報ＤＢ１１０は、例えば、図４（ｂ）に示すような会員に関する会員情報を記憶する。図４（ｂ）に示す例では、会員情報ＤＢ１１０は、会員を識別する会員ＩＤ、各会員を業種・業態によって区分した情報である業種・業態区分情報、各会員によって指定された指定地域を示す情報である指定地域情報、各会員によって指定された指定属性（被験者に関する指定属性）を示す情報である指定属性情報、各会員によって指定された指定疾病を示す情報である指定疾病情報、各会員によって指定された判定結果（疾病の有無又は程度に係る判定結果）を示す情報である指定判定情報、各会員によって指定された指定出力時間を示す情報である指定出力時間情報、各会員によって指定された指定出力先（出力先とする指定端末）を示す情報である指定出力先情報、外出動向情報（詳細は後述）の出力に関する情報である外出動向情報関連情報、課金に関する設定（契約）情報である課金設定情報、課金に関する実績（履歴）情報である課金実績情報などを記憶する。
【００３４】
会員情報ＤＢ１１０における指定地域情報は、疾病統計情報作成部１６０による集計単位である地域コードの中から選択された１又は２以上の地域コードである（詳細は後述）。また、会員情報ＤＢ１１０における指定属性情報は、疾病統計情報作成部１６０による集計単位である属性コードの中から選択された１又は２以上の属性コードである（詳細は後述）。また、会員情報ＤＢ１１０における指定疾病情報は、疾病統計情報作成部１６０による集計単位である疾病コードの中から選択された１又は２以上の疾病コードである（詳細は後述）。また、会員情報ＤＢ１１０における指定判定情報は、疾病統計情報作成部１６０による集計単位である判定コードの中から選択された１又は２以上の判定コードである（詳細は後述）。また、会員情報ＤＢ１１０における指定出力時間情報は、時刻、又は、頻度（例えば、３時間毎、隔日等）によって指定される情報である。
【００３５】
上記会員は、例えば、国又は地方自治体（国又は地方自治体から業務を委託された組織も含む）、医療業者、保健衛生業者、生命保険業者、社会保険・社会福祉・介護事業者、製造業者、流通業者（主に卸売業者、小売業者）、学術・開発研究機関、教育・学習支援業者、情報通信業者、者、生活関連サービス業者、娯楽業者、運輸業者、郵便業者、及びこれらと取引する取引業者、並びに、研究者などの個人、ＮＰＯなどであって、予め登録したものをいう。なお、上述の医療業者から郵便業者までの各事業者の分類は、日本標準産業分類によるものである。
【００３６】
広告情報ＤＢ１２０は、例えば、図４（ｃ）に示すような広告に関する広告情報を記憶する。図４（ｃ）に示す例では、広告情報ＤＢ１２０は、広告コンテンツを識別する広告ＩＤ、広告コンテンツの実態である広告コンテンツ情報（例えば、リンク文字列、バナー画像）、各広告コンテンツに対応する出力（提供）先である業種・業態の区分を示す対応業種・業態区分情報などを記憶する。
【００３７】
受信部１３０は、検査端末２０から送信された情報を受信する。また、受信部１３０は、必要に応じて、電子カルテＤＢ５２０、個人情報ＤＢ１００及び端末位置情報ＤＢ５００から情報を受信する。また、受信部１３０は、疾病判定部１４０、疾病統計情報作成部１６０及び出力部１８０の処理に必要となる情報であって検査端末２０から受信した情報に含まれていなかった情報を、電子カルテＤＢ５２０、個人情報ＤＢ１００及び端末位置情報ＤＢ５００にアクセスして受信する。なお、受信部１３０は、疾病判定部１４０、疾病統計情報作成部１６０又は出力部１８０からの要求に応じて、電子カルテＤＢ５２０、個人情報ＤＢ１００及び端末位置情報ＤＢ５００にアクセスしてもよいし、検査端末２０から検査情報を取得したときにアクセスしてもよい。
【００３８】
例えば、受信部１３０は、検査端末２０からの送信情報が検査端末２０の位置情報を含まない送信情報（例えば、図３（ａ）に示す送信情報）であったときは、当該送信情報に含まれている端末ＩＤに対応付けられた被験者の位置情報（即ち、当該検査端末２０の位置情報）を端末位置情報ＤＢ５００から受信する。また、例えば、受信部１３０は、検査端末２０からの送信情報が検査端末２０の位置情報を含まない送信情報（例えば、図３（ａ）に示す送信情報）である場合や検査端末２０が医療機関に設置されている場合は、被験者の位置情報（即ち、電子カルテＤＢ５２０又は個人情報ＤＢ１００の属性情報に基づく被験者の位置情報）を電子カルテＤＢ５２０又は個人情報ＤＢ１００から受信する。
【００３９】
また例えば、受信部１３０は、疾病判定部１４０及び疾病統計情報作成部１６０の処理において被験者の属性情報が必要な場合に、検査端末２０からの送信情報が被験者の属性情報を含まない送信情報（例えば、図３（ａ）に示す送信情報）であったときは、当該送信情報に含まれている個人特定情報に対応付けられた属性情報を個人情報ＤＢ１００又は電子カルテＤＢ５２０から受信する。
【００４０】
受信部１３０は、検査端末２０から受信した情報、電子カルテＤＢ５２０、個人情報ＤＢ１００及び端末位置情報ＤＢ５００から受信した情報を疾病判定部１４０に供給する。また、受信部１３０は、検査端末２０から受信した情報、電子カルテＤＢ５２０及び個人情報ＤＢ１００から受信した情報を出力部１８０に供給する。
【００４１】
疾病判定部１４０は、受信部１３０から取得した情報（検査情報、属性情報等）を用いて、疾病の有無又は程度を判定する。換言すれば、疾病判定部１４０は、病気でない旨の判定、若しくは、病名である旨の判定（病気の疑いも含む）／症状を判定する。また、例えば、疾病判定部１４０は、検査端末２０の検査情報と記憶部（例、検査判定情報ＤＢ５４０）に記憶されている検査判定情報とを比較して疾病の有無又は程度を判定する。一例として、疾病判定部１４０は、検査判定情報ＤＢ５４０に記憶されている検査判定情報としての所定のしきい値と検査端末２０の検査情報とを比較して、該検査情報が所定のしきい値以上の場合に所定の疾病を発症している（疾病が有）と判定し、該検査情報が所定のしきい値より低い場合に所定の疾病を発症していない（疾病が無）と判定する。また、例えば、疾病判定部１４０は、検査判定情報ＤＢ５４０に記憶されている検査判定情報としての所定の５段階の基準値と検査端末２０の検査情報とを比較して、該検査情報が基準値１や２に相当する場合に所定の疾病を発症していないと判定し、該検査情報が基準値３以上に相当する場合に所定の疾病を発症していると判定し、該検査情報が基準値５に相当する場合に疾病の症状が重症であると判定する。
【００４２】
疾病判定部１４０は、疾病の有無又は程度を判定した場合、個人特定情報、属性情報、被験者の位置情報（例、検査端末２０の位置情報、電子カルテＤＢ５２０又は個人情報ＤＢ１００の属性情報に基づく被験者の位置情報）、判定結果である疾病判定情報などを疾病判定情報記憶部１５０に記憶する。図４（ｄ）は、疾病判定部１４０によって疾病判定情報記憶部１５０に記憶される情報の一例である、図４（ｄ）に示す例では、疾病判定情報記憶部１５０は、判定日時、個人特定情報、属性情報１（例えば、生年月日）、属性情報２（性別）、検査端末２０の位置情報、疾病判定情報、端末ＩＤ（検査端末、移動端末）を記憶する。
【００４３】
疾病統計情報作成部１６０は、疾病判定部１４０の判定結果である疾病判定情報と被験者の位置情報（例、検査端末２０の位置情報、電子カルテＤＢ５２０又は個人情報ＤＢ１００の属性情報に基づく被験者の位置情報）とに基づいて該位置情報に対応する地域における疾病を特定し、疾病別、地域別、属性別の疾病統計情報を作成する。一例として、疾病統計情報作成部１６０は、疾病判定情報記憶部１５０に記憶されている情報、地図情報ＤＢ５１０に記憶されている情報に基づいて疾病別、地域別、属性別の疾病統計情報を作成する。例えば、疾病統計情報作成部１６０は、疾病判定情報記憶部１５０に記憶されている判定日時を参照し、所定の時間（時間１という）内に判定されたデータを集計対象として、疾病別、地域別、属性別の疾病統計情報を作成する。但し、統計情報作成部１６０は、同一の被験者による短時間における重複した疾病判定情報が疾病統計情報に反映されないようにするため、所定の時間内（時間２：時間１と異なる時間であってもよい）における同一の被験者の疾病判定情報（即ち、同一の個人特定情報に係るレコード）が２以上存在するときは、当該２以上存在する疾病判定情報のうちの一の疾病判定情報（例えば、最新の疾病判定情報）に基づいて、疾病統計情報を作成する。
【００４４】
例えば、疾病統計情報作成部１６０は、図５（ａ）に示すような、疾病別（疾病コード別、判定コード別）、地域別（地域コード別）、属性別（属性コード別）に集計した疾病統計情報を作成する。
【００４５】
図５（ａ）における疾病コードは、疾病に関する集計単位を示すコードである。図５（ａ）における地域コードは、地域に関する集計単位を示すコードである。図５（ａ）における属性コードは、被験者の属性（年代・性別）に関する集計単位を示すコードである。なお、地域コードは、市町村コード、郵便番号などのような既存のコードであってもよいし、専用のコード（例えば、疾病統計情報の作成用に定めた商圏を示す商圏コード）であってもよい。
【００４６】
図５（ａ）における判定コードは、各疾病コードによって示される各疾病について、疾病の有無又は程度に関する集計単位を示すコードである。判定コード「１」：「疾病無（未発病）」は、当該集計時現在（最新データ）において疾病が無く、かつ、過去（例えば、最新データ以外の過去所定期間のデータ）においても疾病が無かった状態である。判定コード「２」：「疾病無（回復）」は、当該集計時現在において疾病が無く、かつ、過去においては疾病が有った状態である。判定コード「３」：「疾病有（軽度）」は、当該集計時現在において軽度の疾病がある状態である。判定コード「４」：「疾病有（中度）」は、当該集計時現在において中度の疾病がある状態である。判定コード「５」：「疾病有（重度）」は、当該集計時現在において、重度の疾病がある状態である。
【００４７】
人数│対人口比（今回）は、一の疾病コード、一の地域コード、一の属性コード、一の判定コードに関する今回の集計時における、集計人数／当該集計人数の対人口比率である。例えば、太枠内の人数（今回）「２００（人）」は、疾病コード「Ａ」、地域コード「Ｃ００００１」、属性コード「１」、判定コード「５」である被験者の人数である。即ち、疾病統計情報作成部１６０は、所定の時間内に判定されたデータを集計対象として、疾病判定情報記憶部１５０に記憶されている被験者の位置情報（例、検査端末２０の位置情報、電子カルテＤＢ５２０又は個人情報ＤＢ１００の属性情報に基づく被験者の位置情報）が地域コード「Ｃ００００１」によって示される地域内であって、疾病判定情報記憶部１５０に記憶されている属性情報が属性コード「１」に属し、疾病判定情報記憶部１５０に記憶されている疾病判定情報が疾病コード「Ａ」に係る程度「重度」である、レコード数（被験者の人数）を集計する。また、太枠内の対人口比（今回）「１（％）」は、当該地域の人口を母集団としたときの人数（今回）「２００（人）」の割合である。即ち、疾病統計情報作成部１６０は、各地域コードの人口を記憶し（又は、各地域コードの人口を記憶する記憶部（非図示）を参照し）、地域コード「Ｃ００００１」によって示される地域の人口（例えば、２万人とする）と、人数（今回）「２００（人）」とから、対人口比（今回）「１（％）」を算出する。
【００４８】
図５（ａ）における人数│対人口比（前回）は、一の疾病コード、一の地域コード、一の属性コード、一の判定コードに関する前回の集計時における、集計人数／当該集計人数の対人口比率である。疾病統計情報作成部１６０は、疾病統計情報の次回の作成に備えて、今回作成した疾病統計情報を一時記憶しておいてもよい。
【００４９】
図５（ａ）における増減は、人数│対人口比（前回）に対する人数│対人口比（今回）の増減値である。例えば、太枠内の増減人数（人）「５０（人）」は、人数（前回）「１５０（人）」から人数（今回）「２００（人）」に増加した人数である。即ち、疾病統計情報作成部１６０は、人数（今回）「２００（人）」から人数（前回）「１５０（人）」を減算し、増減人数（人）「５０（人）」を算出する。また例えば、太枠内の増減人数（％）「１３３（％）」は、人数（前回）「１５０（人）」から人数（今回）「２００（人）」に増加した割合（疾病の有無又は程度の時間的な変化率）である。即ち、疾病統計情報作成部１６０は、人数（今回）「２００（人）」を人数（前回）「１５０（人）」によって除算し、増減人数（％）「１３３（％）」を算出する。また例えば、太枠内の対人口比増減率（％）「０．２５（％）」は、対人口比（前回）「０．７５（％）」から対人口比（今回）「１（％）」に増加した割合（疾病の有無又は程度の時間的な変化率）である。即ち、疾病統計情報作成部１６０は、対人口比（今回）から対人口比（前回）「０．７５（％）」を減算し、対人口比増減率（％）「０．２５（％）」を算出する。
【００５０】
以上のように、疾病統計情報作成部１６０は、個人特定情報（図４（ｄ）参照）を秘匿化した疾病統計情報（図５（ａ）参照）を作成する。なお、図５（ａ）に示す疾病統計情報は一例であって、疾病統計情報作成部１６０が作成する疾病統計情報は、これに限定されない。例えば、疾病統計情報作成部１６０は、図５（ａ）に示すような判定コードと異なる判定コード（例えば、各区分の内容が異なる判定コード、段階数が５段階でない判定コード）によって、疾病別（疾病コード別、判定コード別）、地域別（地域コード別）、属性別（属性コード別）の疾病統計情報を作成してもよい。また例えば、疾病統計情報作成部１６０は、年代及び性別の組合せによる図５（ａ）に示すような属性コードと異なる組合せによる属性コードによって、疾病別（疾病コード別、判定コード別）、地域別（地域コード別）、属性別（属性コード別）の疾病統計情報を作成してもよい。
【００５１】
また例えば、疾病統計情報作成部１６０は、疾病別（疾病コード別、判定コード別）、地域別（地域コード別）の疾病統計情報を作成してもよいし、地域別（地域コード別）、属性別（属性コード別）の疾病統計情報を作成してもよいし、地域別（地域コード別）の疾病統計情報を作成してもよい。また例えば、疾病統計情報作成部１６０は、疾病別（疾病コード別、判定コード別）の疾病統計情報、地域別（地域コード別）の疾病統計情報、又は、属性別（属性コード別）の疾病統計情報を作成してもよい。
【００５２】
なお、疾病統計情報作成部１６０が疾病統計情報を作成するタイミングは、特に、限定するものではないが、例えば、所定の時間帯毎に、疾病統計情報を作成することが好ましい。
【００５３】
また、疾病統計情報作成部１６０は、疾病統計情報に基づいて、地域住民の外出動向（外出指数、又は外出率）を示す外出動向情報を作成する。例えば、疾病統計情報作成部１６０は、図５（ａ）に示すような、疾病別（疾病コード別）、地域別（地域コード別）、属性別（属性コード別）の外出動向情報（疾病別）を作成する。例えば、疾病統計情報作成部１６０は、下記式（１）によって、疾病コード「Ｘ」、地域コード「Ｙ」、属性コード「Ｚ」における外出動向情報（疾病別）ＳＸＹＺを算出する。
【００５４】
ＳＸＹＺ＝｛疾病コード「Ｘ」、地域コード「Ｙ」、属性コード「Ｚ」、判定コード「１」の人数（今回）｝×ＫＸＹＺ１＋｛疾病コード「Ｘ」、地域コード「Ｙ」、属性コード「Ｚ」、判定コード「２」の人数（今回）｝×ＫＸＹＺ２＋｛疾病コード「Ｘ」、地域コード「Ｙ」、属性コード「Ｚ」、判定コード「３」の人数（今回）｝×ＫＸＹＺ３＋｛疾病コード「Ｘ」、地域コード「Ｙ」、属性コード「Ｚ」、判定コード「４」の人数（今回）｝×ＫＸＹＺ４＋｛疾病コード「Ｘ」、地域コード「Ｙ」、属性コード「Ｚ」、判定コード「５」の人数（今回）｝×ＫＸＹＺ５  …  （１）
但し、ＫＸＹＺ１、ＫＸＹＺ２、ＫＸＹＺ３、ＫＸＹＺ４、ＫＸＹＺ５は、疾病コード「Ｘ」、地域コード「Ｙ」、属性コード「Ｚ」の場合における、判定コードに応じた係数であって、０及びマイナスの値も取り得る。
【００５５】
なお、上記式（１）による外出動向情報（疾病別）は一例であって、疾病統計情報作成部１６０が作成する外出動向情報は、これに限定されない。例えば、疾病統計情報作成部１６０は、人数（今回）に代えて又は加えて、対人口比（今回）を用いて、外出動向情報（疾病別）を算出してもよい。また、疾病統計情報作成部１６０は、人数（今回）に代えて又は加えて、人数（前回）、対人口比（前回）の何れか一方又は両方を用いて、外出動向情報（疾病別）を算出してもよい。また、また、疾病統計情報作成部１６０は、人数（今回）に代えて又は加えて、図５に示す「増減」を用いて、外出動向情報（疾病別）を算出してもよい。
【００５６】
また、疾病統計情報作成部１６０は、外出動向情報（疾病別）に加えて、図５（ｂ）に示すような、外出動向情報（全疾病）を作成する。図５（ｂ）における外出動向情報（全疾病）は、全部の疾病を纏めた、地域別（地域コード別）、属性別（属性コード別）の外出動向情報である。疾病統計情報作成部１６０は、下記式（２）によって、地域コード「Ｙ」、属性コード「Ｚ」における外出動向情報（全疾病）Ｓ＊ＹＺを算出する。なお、「＊」は、疾病コード「１」〜疾病コード「ｎ」で表される全疾病を意味する。
【００５７】
Ｓ＊ＹＺ＝Ｓ１ＹＺ＋Ｓ２ＹＺ、…、＋ＳｎＹＺ  …  （２） 
但し、Ｓ１ＹＺは疾病コード「１」に関する外出動向情報（疾病別）、Ｓ２ＹＺは疾病コード「２」に関する外出動向情報（疾病別）、ＳｎＹＺは疾病コード「ｎ」に関する外出動向情報（疾病別）である。
【００５８】
なお、疾病統計情報作成部１６０が外出動向情報を作成するタイミングは、特に、限定するものではないが、例えば、所定の時間帯毎に、外出動向情報を作成することが好ましい。
【００５９】
疾病統計情報作成部１６０は、疾病統計情報を作成した場合、疾病統計情報記憶部１７０に記憶する。同様に、疾病統計情報作成部１６０は、外出動向情報を作成した場合、疾病統計情報記憶部１７０に記憶する。
【００６０】
出力部１８０は、各会員の指定出力時間に、各会員の指定出力先に、各会員に応じた疾病統計情報を出力する。一例として、出力部１８０は、疾病統計情報記憶部１７０に記憶されている指定出力時間情報による各会員の出力タイミングにて、疾病統計情報記憶部１７０に記憶されている疾病統計情報のなかから、各会員に応じた疾病統計情報を抽出し、会員情報ＤＢ１００に記憶されている各会員の指定出力先情報によって示される指定出力先に出力する。上述の各会員に応じた疾病統計情報とは、一例として、各会員によって指定された地域、被験者の属性、疾病（症状に関する指定も含む）などに関する疾病統計情報である。なお、出力部１８０は、同一会員（同一会員の会員端末４０）に対して、疾病統計情報及び外出動向情報の両方を出力してもよい。
【００６１】
例えば、出力部１８０は、指定地域における疾病統計情報を出力する場合、疾病統計情報記憶部１７０に記憶されている疾病統計情報のなかから、会員情報ＤＢ１００に記憶されている各会員の指定地域情報（地域コード）と一致する地域コードの疾病統計情報を抽出し、各会員の指定出力先に出力する。
【００６２】
また例えば、出力部１８０は、指定地域かつ指定属性における疾病統計情報を出力する場合、疾病統計情報記憶部１７０に記憶されている疾病統計情報のなかから、会員情報ＤＢ１００に記憶されている各会員の指定地域情報（地域コード）及び指定属性情報（属性コード）と一致する地域コード及び属性コードの疾病統計情報を抽出し、各会員の指定出力先に出力する。
【００６３】
また例えば、出力部１８０は、指定地域かつ指定疾病における疾病統計情報を出力する場合、疾病統計情報記憶部１７０に記憶されている疾病統計情報のなかから、会員情報ＤＢ１００に記憶されている各会員の指定地域情報（地域コード）、指定疾病情報（疾病コード）及び指定判定情報（判定コード）と一致する地域コード、疾病コード、判定コードの疾病統計情報を抽出し、各会員の指定出力先に出力する。
【００６４】
なお、出力部１８０が、指定地域かつ指定属性かつ指定疾病における疾病統計情報を出力する場合、指定属性における疾病統計情報を出力する場合、指定属性かつ指定疾病における疾病統計情報を出力する場合、指定疾病における疾病統計情報を出力する場合についても同様である。
【００６５】
なお、出力部１８０は、会員情報ＤＢ１００に記憶されている各会員の業種・業態区分を参照し、会員の業種・業態区分に応じた疾病統計情報を出力してもよい。例えば、出力部１８０は、会員情報ＤＢ１００に記憶されている各会員の業種・業態区分が、国又は地方自治体、医療業者、保健衛生業者、生命保険業者、社会保険・社会福祉・介護事業者、医薬品の製造業者、医薬品の流通業者、学術・開発研究機関、教育・学習支援業者、情報通信業者、及びこれらと取引する取引業者を示す区分であった場合には、少なくとも疾病別に集計された疾病統計情報（指定疾病における疾病統計情報、指定地域かつ指定疾病における疾病統計情報、指定属性かつ指定疾病における疾病統計情報、指定地域かつ指定属性かつ指定疾病における疾病統計情報）を出力する効果的である。即ち、上記会員は、少なくとも疾病を指定するとよい（会員情報ＤＢ１００の上記会員における指定疾病情報は、入力（登録）必須項目とするとよい）。
【００６６】
なお、図６は、出力部１８０から指定地域かつ指定属性かつ指定疾病における疾病統計情報を受信にした会員端末４０に表示される情報の一例である。出力部１８０は、例えば、指定地域（東京２３区）、指定属性（２０歳代の女性、３０歳代の女性、４０歳代の女性）、指定疾病（白印：病名Ｔの軽度、中度、重度）における疾病統計情報を、ターゲットを女性とする小売業者である会員の会員端末４０に送信する。当該会員端末４０は、当該疾病統計情報に基づいて（非図示の処理部によって疾病統計情報を加工して）、図６に示すような情報を表示する。なお、図６において、丸印は２０歳代の女性、四角印は３０歳代の女性、三角印は４０歳代の女性、白印は病名Ｔの中度又は軽度、黒印は病名Ｔの重度を表している。
【００６７】
また、出力部１８０は、各会員の指定出力時間に、各会員の指定出力先に、各会員に応じた外出動向情報を出力する。一例として、出力部１８０は、疾病統計情報記憶部１７０に記憶されている指定出力時間情報による各会員の出力タイミングにて、疾病統計情報記憶部１７０に記憶されている外出動向情報のなかから、各会員に応じた外出動向情報を抽出し、会員情報ＤＢ１００に記憶されている各会員の指定出力先情報によって示される指定出力先に出力する。上述の各会員に応じた外出動向情報とは、一例として、各会員によって指定された地域、被験者の属性、疾病（症状に関する指定も含む）などに関する外出動向情報である。
【００６８】
例えば、出力部１８０は、指定地域における外出動向情報を出力する場合、疾病統計情報記憶部１７０に記憶されている外出動向情報のなかから、会員情報ＤＢ１００に記憶されている各会員の指定地域情報（地域コード）と一致する地域コードの外出動向情報を抽出し、各会員の指定出力先に出力する。出力部１８０が、指定地域かつ指定疾病における疾病統計情報を出力する場合などについても同様である。なお、出力部１８０は、会員情報ＤＢ１００に記憶されている外出動向情報関連情報において、出力対象の外出動向情報の種類（例えば、外出動向情報（疾病別）、又は、外出動向情報（全疾病））が指定されている場合には、指定された種類の外出動向情報を出力する。
【００６９】
なお、出力部１８０は、会員情報ＤＢ１００に記憶されている各会員の業種・業態区分が、卸売業者、小売業者、宿泊業者、飲食サービス業者、生活関連サービス業者、娯楽業者、運輸業者、郵便業者、及びこれらと取引する取引業者を示す区分であった場合には、当該区分の会員の指定出力先に、各会員の指定地域の外出動向情報を出力すると効果的である。即ち、上記会員は、少なくとも地域を指定するとよい（会員情報ＤＢ１００の上記会員における指定地域情報は、入力（登録）必須項目とするとよい）。
【００７０】
また、出力部１８０は、会員に対して疾病統計情報を出力した場合、会員情報ＤＢ１００に記憶されている課金設定情報（各会員への疾病統計情報の提供に対する対価に関する情報）を参照し、会員に対する課金実績情報を書き込む。同様に、出力部１８０は、会員に対して外出動向情報を出力した場合、会員情報ＤＢ１００に記憶されている課金設定情報（各会員への外出動向情報の提供に対する対価に関する情報）を参照し、会員に対する課金実績情報を書き込む。
【００７１】
なお、出力部１８０は、疾病統計情報又は外出動向情報とともに、広告情報を出力してもよい。例えば、出力部１８０は、広告情報ＤＢ１２０に記憶されている広告コンテンツ情報（例えば、リンク文字列、バナー画像）のなかから、会員情報ＤＢ１００に記憶されている各会員の業種・業態区分情報と一致する対応業種・業態区分情報の広告コンテンツ情報を抽出し、各会員向けの疾病統計情報又は外出動向情報とともに出力する。
【００７２】
また、出力部１８０は、受信部１３０から取得した情報（個人特定情報、属性情報、検査情報）を医療機関の電子カルテＤＢ５２０に書き込む。
【００７３】
また、出力部１８０は、疾病判定情報記憶部１５０に記憶されている疾病判定情報を被験者の端末（検査端末２０又は移動端末３０）に送信してもよい。また、出力部１８０は、会員以外の者（例えば、被験者）に疾病統計情報を送信してもよい。例えば、出力部１８０は、当該被験者と同じ地域の疾病統計情報を送信する。
【００７４】
なお、統計情報提供サーバ１０から疾病判定情報を受信した検査端末２０の送受信部（移動端末３０の送受信部３１０も同様）は、当該疾病判定情報を出力部２５０（移動端末３０の送受信部３２０）に送信する。出力部２５０（出力部３２０）は疾病判定情報を表示する。同様に、統計情報提供サーバ１０から疾病統計情報を受信した検査端末２０の送受信部（移動端末３０の送受信部３１０も同様）は、当該疾病統計情報を出力部２５０（移動端末３０の送受信部３２０）に送信する。出力部２５０（出力部３２０）は疾病統計情報を表示する。なお、検査端末２０（移動端末３０も同様）は、当該疾病統計情報に基づく情報（非図示の処理部によって疾病統計情報を加工した情報）を表示してもよい。また、第１の実施形態においては、統計情報提供サーバ１０の外部に、端末位置情報ＤＢ５００、地図情報ＤＢ５１０、電子カルテＤＢ５２０、及び検査判定情報ＤＢ５４０が存在する構成を説明したが、統計情報提供サーバ１０が、上記ＤＢのうちの何れか１又２つ以上を備える構成としてもよい（後述する他の実施形態における統計情報提供サーバについても同様である）。
【００７５】
以下、図７を用いて、統計情報提供システム１の処理の流れを説明する。本フローチャートは、検査端末２０が検査情報を取得することにより開始する。なお、図７の左側は検査端末２０、中央は統計情報提供サーバ１０の処理、右側は会員端末４０の処理の流れを示している。
【００７６】
検査端末２０の検査情報取得部２２０は、疾病を検査するための検査情報を取得する（ステップＳ１００）。送受信部２４０は、検査情報を統計情報提供サーバ１０に送信する（ステップＳ１１０）。なお、送受信部２４０は、入力受付部２１０から入力情報を取得していた場合、当該入力情報とともに検査情報を統計情報提供サーバ１０に送信する。
【００７７】
統計情報提供サーバ１０の受信部１３０は、検査端末２０によって送信された情報を受信する（ステップＳ２００）。受信部１３０は、疾病判定部１４０、疾病統計情報作成部１６０及び出力部１８０の処理に必要となる情報であって検査端末２０から受信した情報に含まれていなかった情報を、電子カルテＤＢ５２０、個人情報ＤＢ１００及び端末位置情報ＤＢ５００にアクセスして受信する（ステップＳ２１０）。受信部１３０は、検査端末２０から受信した情報、電子カルテＤＢ５２０、個人情報ＤＢ１００及び端末位置情報ＤＢ５００から受信した情報を疾病判定部１４０に供給する。また、受信部１３０は、検査端末２０から受信した情報、電子カルテＤＢ５２０又は個人情報ＤＢ１００から受信した情報を出力部１８０に供給する。
【００７８】
出力部１８０は、受信部１３０から取得した情報（個人特定情報、属性情報、検査情報）を電子カルテＤＢ５２０に記憶する（ステップＳ２２０）。
【００７９】
疾病判定部１４０は、受信部１３０から取得した情報（検査情報、属性情報等）を用いて、疾病の有無又は程度を判定する（ステップＳ２３０）。疾病判定部１４０は、個人特定情報、属性情報、被験者の位置情報（例、検査端末２０の位置情報、電子カルテＤＢ５２０又は個人情報ＤＢ１００の属性情報に基づく被験者の位置情報）、判定結果である疾病判定情報などを疾病判定情報記憶部１５０に記憶する。
【００８０】
疾病統計情報作成部１６０は、疾病判定情報記憶部１５０に記憶されている疾病判定情報と被験者の位置情報（例、検査端末２０の位置情報、電子カルテＤＢ５２０又は個人情報ＤＢ１００の属性情報に基づく被験者の位置情報）とに基づいて疾病統計情報を作成する（ステップＳ２４０）。例えば、疾病統計情報作成部１６０は、疾病別、地域別、属性別の疾病統計情報を作成する。また、疾病統計情報作成部１６０は、疾病統計情報に基づいて、地域住民の外出動向（外出指数）を示す外出動向情報を作成する（ステップＳ２５０）。疾病統計情報作成部１６０は、疾病統計情報及び外出動向情報を疾病統計情報記憶部１７０に記憶する。
【００８１】
出力部１８０は、疾病判定情報記憶部１５０に記憶されている疾病判定情報、及び、疾病統計情報記憶部１７０に記憶されている被験者と同じ地域の疾病統計情報を被験者の検査端末２０（又は移動端末３０）に送信する（ステップＳ２６０）。
【００８２】
検査端末２０の送受信部２４０は、統計情報提供サーバ１０によって送信された疾病判定情報及び疾病統計情報を受信する（ステップＳ１２０）。送受信部２４０は、受信情報（疾病判定情報及び疾病統計情報）を出力部２５０に供給する。出力部２５０は、送受信部２４０から取得した情報（疾病判定情報及び疾病統計情報）を表示する（ステップＳ１３０）。なお、検査端末２０（出力部２５０）は、疾病統計情報に基づく情報（非図示の処理部によって疾病統計情報を加工した情報）を表示してもよい。
【００８３】
また、統計情報提供サーバ１０の出力部１８０は、各会員の指定出力時間に応じて、各会員の指定出力先に、各会員に応じた疾病統計情報を出力する（ステップＳ２７０）。なお、出力部１８０は、疾病統計情報とともに広告情報を出力してもよい。出力部１８０は、課金実績情報（疾病統計情報提供の対価）を会員情報ＤＢ１００に記憶する（ステップＳ２８０）。
【００８４】
会員端末４０の送受信部４１０は、統計情報提供サーバ１０によって送信された疾病統計情報を受信する（ステップＳ４００）。送受信部４１０は、受信情報（疾病統計情報）を出力部４２０に供給する。
【００８５】
また、統計情報提供サーバ１０の出力部１８０は、各会員の指定出力時間に応じて、各会員の指定出力先に、各会員に応じた指定地域の外出動向情報を出力する（ステップＳ２９０）。なお、出力部１８０は、外出動向情報とともに、広告情報を出力してもよい。出力部１８０は、課金実績情報（外出動向情報提供の対価）を会員情報ＤＢ１００に記憶する（ステップＳ３００）。
【００８６】
会員端末４０の送受信部４１０は、統計情報提供サーバ１０によって送信された外出動向情報を受信する（ステップＳ４１０）。送受信部４１０は、受信情報（外出動向情報）を出力部４２０に供給する。
【００８７】
会員端末４０の出力部４２０は、送受信部４１０から取得した情報（疾病統計情報及び外出動向情報）を表示する（ステップＳ４２０）。なお、会員端末４０（出力部４２０）は、疾病統計情報に基づく情報又は外出動向情報に基づく情報（非図示の処理部によって疾病統計情報を加工した情報）を表示してもよい。そして、本フローチャートは終了する。
【００８８】
以上、第１の実施形態によれば、病気の検査結果に基づく有益な情報（疾病統計情報、外出動向情報）を作成し、第三者に提供することができるようになる。例えば、国又は地方自治体は、疾病統計情報（又は外出動向情報）に基づいて、疾病に絡む適切な対策（例えば、国民、住民への情報提供、やホームページ上に情報を掲載）を講じることができる。医療業者等は、疾病統計情報（又は外出動向情報）に基づいて、医薬品の調達、勤務時間（開業時間）の変更、患者へのアドバイスなどを行うことができる。医薬品の流通業者等は、疾病統計情報（又は外出動向情報）に基づいて、医薬品の仕入れ、物流計画などを検討することができる。学術・開発研究機関は、疾病統計情報（又は外出動向情報）を研究の基礎データとして活用することができる。教育・学習支援業者は、疾病統計情報（又は外出動向情報）に基づいて、休校（休講）などを検討することができる。情報通信業者は、疾病統計情報（又は外出動向情報）に基づいて、疾病の流行に伴う回線の輻輳などに備えることができる。また、消費者向けの物品（医薬品を含む）の流通業者（卸売業者、小売業者）は、外出動向情報（又は疾病統計情報）に基づいて、消費者の出足を予測し、物品の仕入れ、物流計画などを検討することができる（宿泊業者、飲食サービス業者、生活関連サービス業者、娯楽業者、運輸業者、郵便業者についても同様である）。
【００８９】
更に、疾病統計情報作成部１６０は、疾病の有無又は程度の時間的な変化率を示す情報（例えば、図５に示す増減人数（％）、対人口比増減率（％））を含む疾病統計情報を作成するが、変化率を明示的に算出することの利点は大きい。即ち、疾病率の急激な上昇は、物品の不足、道路の混雑を招くが、例えば物流事業者は、疾病統計情報に基づいて、疾病率が急激に上昇した地域を簡便に把握し、当該地域における物流計画を速やかに見直すことができる。
【００９０】
また、被験者数、被験者の属性は、時間帯によって異なるが（例えば、朝は全年代、昼夕方は子供や主婦、高齢者、夜はサラリーマン）、統計情報生成部１６０は、データ（疾病統計情報及び外出動向情報）を所定の時間帯ごとに作成するため、時間帯ごとのデータのばらつきを把握、補正し、例えば毎日１回同時刻にデータを作成する場合と比べ、より精度の高いデータを作成することができる。
【００９１】
（第２の実施形態）
以下、図面を参照しながら本発明の第２の実施形態について説明する。図８は、本発明の第２の実施形態による統計情報提供システムを含むシステムの概念図である。図９は、第２の実施形態による統計情報提供システムを説明するための説明図である。本発明の第２の実施形態による統計情報提供システム２は、図８に示すように、相互に通信する統計情報提供サーバ１１と検査端末２１とから構成される。検査端末２１は、疾病の検査に用いる検査情報を取得するための端末である。統計情報提供サーバ１１は、検査端末２１からの送信される情報等に基づいて、疾病統計情報、外出動向情報を作成（生成）するためのサーバである。
【００９２】
第１の実施形態においては、図１に示すように、疾病の有無又は程度を判定する疾病判定部１４０は統計情報提供サーバ１０側に存在する態様であったが、第２の実施形態においては、図８に示すように、疾病の有無又は程度を判定する疾病判定部２３０は検査端末２１側に存在する態様である。即ち、第１の実施形態においては、検査端末２０が検査情報等を統計情報提供サーバ１０に送信し、統計情報提供サーバ１０が疾病の有無又は程度を判定する態様であったが、第２の実施形態においては、検査端末２１が疾病の有無又は程度を判定し、疾病判定情報等を統計情報提供サーバ１１に送信する態様である。なお、疾病判定部２３０は、第１の実施形態における疾病判定部１４０と同等の処理を行うことが可能である。
【００９３】
図９は、検査端末２１の送受信部２４０によって送信される送信情報の一例である。例えば、送受信部２４０は、図９（ａ）に示すような、検査端末２１を識別する端末ＩＤ、個人特定情報、検査情報、及び、疾病判定情報を含む送信情報を統計情報提供サーバ１１に送信する。なお、統計情報提供サーバ１１において検査情報を電子カルテＤＢ５２０に記憶しない態様の場合には、送受信部２４０は検査情報を統計情報提供サーバ１１に送信しなくてもよい。また例えば、送受信部２４０は、図９（ｂ）に示すような、被験者の属性情報を含む送信情報を統計情報提供サーバ１０に送信してもよい。また例えば、送受信部２４０は、図９（ｃ）に示すような、個人特定情報を含まない送信情報を統計情報提供サーバ１０に送信してもよい。また例えば、送受信部２４０は、図９（ｄ）に示すような、被験者の位置情報（例、検査端末２１の位置情報、電子カルテＤＢ５２０又は個人情報ＤＢ１００の属性情報に基づく被験者の位置情報）を含む送信情報を統計情報提供サーバ１０に送信してもよい。
【００９４】
以下、図１０を用いて、統計情報提供システム１の処理の流れを説明する。本フローチャートは、検査端末２１が検査情報を取得することにより開始する。なお、図１０の左側は検査端末２１、中央は統計情報提供サーバ１１の処理、右側は会員端末４０の処理の流れを示している。
【００９５】
検査端末２１の検査情報取得部２２０は、疾病を検査するための検査情報を取得する（ステップＳ５００）。検査情報取得部２２０は、検査情報を疾病判定部２３０に供給する。なお、検査情報取得部２２０は、入力受付部２１０から入力情報を取得していた場合、当該入力情報とともに検査情報を疾病判定部２３０に供給する。
【００９６】
疾病判定部２３０は、受信部１３０から取得した情報（検査情報等）を用いて、疾病の有無又は程度を判定する（ステップＳ５２０）。疾病判定部２３０は、受信部１３０から取得した情報（検査情報等）、判定結果である疾病判定情報を統計情報提供サーバ１１に送信する（ステップＳ５３０）
【００９７】
統計情報提供サーバ１１の受信部１３０は、検査端末２１によって送信された情報を受信する（ステップＳ６００）。受信部１３０は、疾病統計情報作成部１６０及び出力部１８０の処理に必要となる情報であって検査端末２１から受信した情報に含まれていなかった情報を、電子カルテＤＢ５２０、個人情報ＤＢ１００及び端末位置情報ＤＢ５００にアクセスして受信する（ステップＳ６１０）。受信部１３０は、個人特定情報、属性情報、被験者の位置情報（例、検査端末２１の位置情報、電子カルテＤＢ５２０又は個人情報ＤＢ１００の属性情報に基づく被験者の位置情報）、疾病判定情報などを疾病判定情報記憶部１５０に記憶する。また、受信部１３０は、検査端末２１から受信した情報、電子カルテＤＢ５２０及び個人情報ＤＢ１００から受信した情報を出力部１８０に供給する。
【００９８】
出力部１８０は、受信部１３０から取得した情報（個人特定情報、属性情報、検査情報）を電子カルテＤＢ５２０に記憶する（ステップＳ６２０）。
【００９９】
疾病統計情報作成部１６０は、疾病判定情報記憶部１５０に記憶されている疾病判定情報と被験者の位置情報（例、検査端末２１の位置情報、電子カルテＤＢ５２０又は個人情報ＤＢ１００の属性情報に基づく被験者の位置情報）とに基づいて疾病統計情報を作成する（ステップＳ６３０）。例えば、疾病統計情報作成部１６０は、疾病別、地域別、属性別の疾病統計情報を作成する。また、疾病統計情報作成部１６０は、疾病統計情報に基づいて、地域住民の外出動向（外出指数）を示す外出動向情報を作成する（ステップＳ６４０）。疾病統計情報作成部１６０は、疾病統計情報及び外出動向情報を疾病統計情報記憶部１７０に記憶する。
【０１００】
出力部１８０は、疾病統計情報記憶部１７０に記憶されている被験者と同じ地域の疾病統計情報を被験者の検査端末２１（又は移動端末３０）に送信する（ステップＳ６５０）。
【０１０１】
検査端末２１の送受信部２４０は、統計情報提供サーバ１１によって送信された疾病統計情報を受信する（ステップＳ５４０）。送受信部２４０は、受信情報（疾病統計情報）を出力部２５０に供給する。出力部２５０は、送受信部２４０から取得した情報（疾病判定情報及び疾病統計情報）を表示する（ステップＳ５５０）。なお、検査端末２１（出力部２５０）は、疾病統計情報に基づく情報（非図示の処理部によって疾病統計情報を加工した情報）を表示してもよい。
【０１０２】
また、統計情報提供サーバ１１の出力部１８０は、各会員の指定出力時間に応じて、各会員の指定出力先に、各会員に応じた疾病統計情報を出力する（ステップＳ６６０）。なお、出力部１８０は、疾病統計情報とともに広告情報を出力してもよい。出力部１８０は、課金実績情報（疾病統計情報提供の対価）を会員情報ＤＢ１００に記憶する（ステップＳ６７０）。
【０１０３】
会員端末４０の送受信部４１０は、統計情報提供サーバ１１によって送信された疾病統計情報を受信する（ステップＳ８００）。送受信部４１０は、受信情報（疾病統計情報）を出力部４２０に供給する。
【０１０４】
また、統計情報提供サーバ１１の出力部１８０は、各会員の指定出力時間に応じて、各会員の指定出力先に、各会員に応じた指定地域の外出動向情報を出力する（ステップＳ６８０）。なお、出力部１８０は、外出動向情報とともに、広告情報を出力してもよい。出力部１８０は、課金実績情報（外出動向情報提供の対価）を会員情報ＤＢ１００に記憶する（ステップＳ６９０）。また、例えば、統計情報提供サーバ１１は、会員情報ＤＢ１００から該課金実績情報を読み出してその課金実績情報に基づく請求金額情報を生成して、該請求金額情報を印刷サーバＰＳ又は会員端末４０に出力部１８０を介して出力する。これによって、ユーザは、課金実績情報に基づく情報提供の対価を会員に請求することができる。
【０１０５】
会員端末４０の送受信部４１０は、統計情報提供サーバ１１によって送信された外出動向情報を受信する（ステップＳ８１０）。送受信部４１０は、受信情報（外出動向情報）を出力部４２０に供給する。
【０１０６】
会員端末４０の出力部４２０は、送受信部４１０から取得した情報（疾病統計情報及び外出動向情報）を表示する（ステップＳ８２０）。なお、会員端末４０（出力部４２０）は、疾病統計情報に基づく情報又は外出動向情報に基づく情報（非図示の処理部によって疾病統計情報を加工した情報）を表示してもよい。そして、本フローチャートは終了する。
【０１０７】
以上、第２の実施形態によれば、第１の実施形態と同様、病気の検査結果に基づく有益な情報（疾病統計情報、外出動向情報）を作成し、第三者に提供することができるようになる。
【０１０８】
なお、上述の第１の実施形態において、検査端末２０の検査情報取得部２２０が、被験者を特定する個人特定情報（例えば、ＤＮＡに関する情報）を含む検査情報を取得する態様も説明したが、当該態様の場合において、統計情報提供サーバ１０の疾病判定部１４０は、個人情報ＤＢ１００に予め記憶されている被験者の個人特定情報（生体認証情報として利用するＤＮＡに関する情報）と、検査端末２０から受信した検査情報から得られる個人特定情報とに基づいて被験者の本人確認処理を実行し、認証された場合に、疾病の有無又は程度を判定するようにしてもよい。これは上述の第２の実施形態についても同様である。
【０１０９】
また、上述の第１の実施形態において、統計情報提供サーバ１０の疾病判定部１４０は、個人情報ＤＢ１００に予め記憶されている被験者の個人特定情報（パスワード）と、検査端末２０から受信したパスワード（入力受付部２１０が受け付けたパスワード）とに基づいて被験者の本人確認処理を実行してもよい。これは上述の第２の実施形態についても同様である。
【０１１０】
なお、上述の第１、第２の実施形態における、検査デバイス８０は、複数の疾病を検査可能である。よって、上述の第１、第２の実施形態における検査情報取得部１６０は、検査デバイス８０から複数の検査情報を選択的に取得することができる。なお、当該選択は、例えば、入力受付部２１０を介して操作者が明示的に行う。
【０１１１】
また、上述の第１の実施形態において、検査端末２０は、検査デバイス８０を装着する装着部を備え、検査デバイス８０から検査情報を取得すると説明したが、検査端末２０は、他の装置によって取得された検査情報を、有線又は無線通信によって、又は、ＵＳＢメモリなどの媒体を介して、取得してもよい。これは上述の第２の実施形態についても同様である。
【０１１２】
また、上述の第１の実施形態において、統計情報提供サーバ１０の外部に、端末位置情報ＤＢ５００、地図情報ＤＢ５１０、電子カルテＤＢ５２０が存在する構成を説明したが、統計情報提供サーバ１０が、上記ＤＢのうちの何れか１又２つ以上を備える構成としてもよい。これは上述の第２の実施形態についても同様である。
【０１１３】
また、上述の第１の実施形態において、統計情報提供サーバ１０が、個人情報ＤＢ１００、会員情報ＤＢ１１０及び広告情報ＤＢ１２０を備える構成を説明したが、個人情報ＤＢ１００、会員情報ＤＢ１１０及び広告情報ＤＢ１２０は、統計情報提供サーバ１０の外部に存在してもよい。これは上述の第２の実施形態についても同様である。
【０１１４】
なお、上述の実施形態においては、上述の検査端末は、持ち運びや携帯することが可能な上述の移動端末の機能を有するような構成にしてもよい。また、本実施形態においては、上述の移動端末は、上述の検査端末の機能（例、検査情報取得部や疾病判定部、など）を有するような構成にしてもよい。
また、上述の実施形態において、例えば、上述の検査端末が被験者の自宅に設定されている場合、上記被験者の位置情報は該検査端末の位置情報を用いる構成とすればよい。また、上述の実施形態において、例えば、上述の検査端末が医療機関に設定されている場合、上記被験者の位置情報は、該検査端末の入力受付部２１０から入力された位置情報、或いは、電子カルテＤＢ５２０又は個人情報ＤＢ１００の属性情報に基づく被験者の位置情報、を用いる構成とすればよい。
【０１１５】
なお、本発明の各実施形態による統計情報提供サーバ１０、１１の各処理、検査端末２０、２１の各処理、移動端末３０の各処理を実行するためのプログラムをコンピュータ読み取り可能な記録媒体に記録して、当該記録媒体に記録されたプログラムをコンピュータシステムに読み込ませ、実行することにより、統計情報提供サーバ１０、１１、１２の各処理、検査端末２０、２１の各処理、移動端末３０、３１に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１１７】
以上、この発明の実施形態について図面を参照して詳述してきたが、具体的な構成はこの実施形態に限られるものではなく、この発明の要旨を逸脱しない範囲の設計等も含まれる。
【符号の説明】
【０１１８】
１、２…統計情報提供システム
１０、１１…統計情報提供サーバ
２０、２１…検査端末
３０…移動端末
４０…会員端末
８０…検査デバイス
１００…個人情報ＤＢ
１１０…会員情報ＤＢ
１２０…広告情報ＤＢ
１３０…受信部
１４０…疾病判定部
１５０…疾病判定情報記憶部
１６０…疾病統計情報作成部
１６５…統計情報生成部
１７０…疾病統計情報記憶部
１８０…出力部
２１０…入力受付部
２２０…検査情報取得部
２３０…疾病判定部
２４０…送受信部
２５０…出力部
３１０…送受信部
３２０…出力部
４１０…送受信部
４２０…出力部
５００…端末位置情報記憶部
５１０…地図情報ＤＢ
５２０…電子カルテＤＢ
５３０…電子カルテシステム
５４０…検査判定情報ＤＢ
【図１】
0005510127.tif 000002
【図２】
0005510127.tif 000003
【図３】
0005510127.tif 000004
【図４】
0005510127.tif 000005
【図５】
0005510127.tif 000006
【図６】
0005510127.tif 000007
【図７】
0005510127.tif 000008
【図８】
0005510127.tif 000009
【図９】
0005510127.tif 000010
【図１０】
0005510127.tif 000011